(57)【要約】【課題】絡まった部品を自動的に解きほぐすことができる分離装置を提供すること。【解決手段】絡み合った部品が投入されるドラム１と、このドラム１の両端に配設された回転円板２ａ、２ｂと、一方の回転円板２ａの端面円周上に略等間隔で配設され、他方の回転円板２ｂ側に向けて延設された複数の棒状体３と、回転円板２ａ、２ｂを回転駆動する駆動機構４と、回転円板２ａ、２ｂを微振動させる振動機構５とを備える。【選択図】図３
2005343673.tif 000002
【特許請求の範囲】
【請求項１】
絡み合った部品が投入されるドラムと、該ドラムの少なくとも一方の端部に配設された回転円板と、該回転円板の端面円周上に略等間隔で配設され、ドラムの他方の端部側に向けて延設された複数の棒状体と、回転円板を回転駆動する駆動機構と、回転円板を微振動させる振動機構とを備えたことを特徴とする絡み合った部品の分離装置。
【請求項２】
前記複数の棒状体を、一方の端部が回転円板の回転軸心に近づく傾斜をなして設けたことを特徴とする請求項１記載の絡み合った部品の分離装置。
【請求項３】
駆動機構が、回転円板を往復回転駆動させることを特徴とする請求項１又は２記載の絡み合った部品の分離装置。
【発明の詳細な説明】
【技術分野】
【０００１】
本発明は、絡み合った部品の分離装置に関し、特に、絡まった部品を自動的に解きほぐすことができる絡み合った部品の分離装置に関するものである。
【背景技術】
【０００２】
図４に示すような機械部品として用いられるスナップリングＳは、例えば、回転軸に装着され、その回転軸に遊嵌された歯車等の回転部材のスラスト荷重を受けて、その回転部材を軸方向に係止するもので、合口を切り欠いた略Ｃ字状の金属製のリング状部材である。
【０００３】
ところで、このスナップリングＳは、合口を切り欠いた略Ｃ字状のリング形状からなるため、ストックされる状態では、多数のスナップリングＳが互いに絡まった状態になっており、これを組み付け装置に供給するためには、従来は手作業により１つ１つ絡みを解きほぐさなければならならず、作業効率を非効率なものとしていた。
【発明の開示】
【発明が解決しようとする課題】
【０００４】
本発明は、上記のスナップリングが有する問題点に鑑み、絡まった部品を自動的に解きほぐすことができる分離装置を提供することを目的とする。
【課題を解決するための手段】
【０００５】
上記目的を達成するため、本発明の絡み合った部品の分離装置は、絡み合った部品が投入されるドラムと、該ドラムの少なくとも一方の端部に配設された回転円板と、該回転円板の端面円周上に略等間隔で配設され、ドラムの他方の端部側に向けて延設された複数の棒状体と、回転円板を回転駆動する駆動機構と、回転円板を微振動させる振動機構とを備えたことを特徴とする。
【０００６】
この場合において、前記複数の棒状体を、一方の端部が回転円板の回転軸心に近づく傾斜をなして設けることができる。
【０００７】
また、駆動機構を、回転円板を往復回転駆動させるように構成することができる。
【発明の効果】
【０００８】
本発明の絡み合った部品の分離装置によれば、絡み合った部品が投入されるドラムと、該ドラムの少なくとも一方の端部に配設された回転円板と、該回転円板の端面円周上に略等間隔で配設され、ドラムの他方の端部側に向けて延設された複数の棒状体と、回転円板を回転駆動する駆動機構と、回転円板を微振動させる振動機構とを備えることから、絡み合った部品を棒状体に引っ掛けて、棒状体を微振動させながら回転させることにより、部品の合口を上に向けながら、該合口から個々の絡みを解きほぐすことができる。
【０００９】
この場合、前記複数の棒状体を、一方の端部が回転円板の回転軸心に近づく傾斜をなして設けることにより、棒状体の回転移動位置により傾斜の向きを変え、該棒状体に引っ掛かる部品を一方の端部側から他方の端部側に移動させ、これにより、絡み合う部品を揺り落とすことができる。
【００１０】
また、駆動機構が、回転円板を往復回転駆動させるように構成することにより、回転方向の転換位置で棒状体に衝撃力を与えることができ、これにより、絡み合う部品の分離を促進することができる。
【発明を実施するための最良の形態】
【００１１】
以下、本発明の絡み合った部品の分離装置の実施の形態を、図面に基づいて説明する。
【実施例１】
【００１２】
図１〜図３に、本発明の絡み合った部品の分離装置の一実施例を示す。
この絡み合った部品の分離装置は、スナップリング等の絡み合った部品（図示省略）が投入されるドラム１と、該ドラム１の両端に配設された回転円板２ａ、２ｂと、一方の回転円板２ａの端面円周上に略等間隔で配設され、他方の回転円板２ｂ側に向けて延設された複数の棒状体３と、回転円板２ａ、２ｂを回転駆動する駆動機構４と、回転円板２ａ、２ｂを微振動させる振動機構５とを備えている。
【００１３】
ドラム１は、上部と下部とが開口した円筒状をなし、上部開口部にはホッパ６、下部開口部にはシュート７が付設されている。
シュート７の下には、既成の構造のドラムフィーダー８が設置されており、該ドラムフィーダー８は、整列用パーツフィーダー８１、搬送用電磁式フィーダー８２、カウント用センサ８３等を備えている。
【００１４】
前記１対の回転円板２ａ、２ｂは、回転軸９により連結された状態で、ドラム１の両端を閉塞するように配設されている。
一方の回転円板２ａからは、前記複数の棒状体３が延設されており、各棒状体３の先端部と他方の回転円板２ｂとの間には空隙が形成されている。したがって、この他方の回転円板２ｂは、ドラム１の端部壁（図示省略）等によっても代用することができる。ただし、各棒状体３の先端部を他方の回転円板２ｂに固定することも可能である。
【００１５】
複数の棒状体３は、先端側が回転円板２ａの回転軸心に近づく傾斜をなして設けられており、これにより、各棒状体３の間隔は先端側で狭くなっている。
また、各棒状体３は、先端側が固定されずに解放されることによって、振動機構５による振幅を大きくするとともに、引っ掛かった部品を、先端側の空隙から落とせるようにしている。
【００１６】
駆動機構４は、本実施例では、空圧、油圧又は電動のシリンダ４１と、該シリンダ４１により駆動するラック４２及びピニオン４３とからなり、回転軸９を介して回転円板２ａを往復回転駆動させることができる。
これにより、回転方向の転換位置で棒状体３に衝撃力を与え、絡み合う部品の分離を促進することができる。
なお、駆動機構４は、上記のシリンダ４１と、ラック４２及びピニオン４３とからなるもののほか、回転円板２ａを回転駆動させることができるモータ等の任意の駆動機構を採用することができる。
【００１７】
振動機構５は、振動数が可変の電磁式振動機構からなり、軸受から回転軸９、回転円板２ａを介して、棒状体３を微振動させる。
また、駆動機構４とドラム１も、この振動機構５の振動側に配設されている。
【００１８】
次に、本実施例の絡み合った部品の分離装置の作用を説明する。
本実施例の絡み合った部品の分離装置は、ホッパ６に絡み合った多数の部品を投入すると、鎖のように絡み合った多数の部品が、ドラム１内の棒状体３に引っ掛かる。
そして、この状態で棒状体３を微振動させながら回転させると、例えば、スナップリングでは、その合口側が軽いことから、スナップリングは負荷の小さい下のものから順に合口を上に向けるようになり、この上を向いた合口から個々の絡みが解きほぐされる。
この場合、前記複数の棒状体３を、一方の端部が回転円板２ａの回転軸心に近づく傾斜をなして設置することにより、棒状体３の回転移動位置により傾斜の向きを変え、該棒状体３に引っ掛かる部品を一方の端部側から他方の端部側に移動させ、これにより、絡み合う部品を揺り落とすことができる。
また、駆動機構４が、回転円板２ａを往復回転駆動させることにより、回転方向の転換位置で棒状体３に衝撃力を与えることができ、これにより、絡み合う部品の分離を促進することができる。
絡みが解きほぐされた部品は、１個ずつドラム１のシュート７に落ち、該シュート７から既成のドラムフィーダーに投入され、図示省略する製造装置に１個ずつ供給される。
【００１９】
以上、本発明の絡み合った部品の分離装置について、その実施例に基づいて説明したが、本発明は上記実施例に記載した構成に限定されるものではなく、その趣旨を逸脱しない範囲において適宜その構成を変更することができ、また、その対象も、スナップリングに限定されず、同様の絡み合いやすい機械部品や電子部品等の部品を分離するために広く適用できるものである。
【産業上の利用可能性】
【００２０】
本発明の絡み合った部品の分離装置は、絡み合った多数の部品を個々に解きほぐすという特性を有していることから、部品を使用する製造装置において、パーツフィーダーの前段に好適に用いることができる。
【図面の簡単な説明】
【００２１】
【図１】本発明の絡み合った部品の分離装置の一実施例を示す斜視図である。
【図２】同実施例の絡み合った部品の分離装置を示し、（ａ）は一部を省略した正面図、（ｂ）は（ａ）のＡ−Ａ線断面図である。
【図３】同絡み合った部品の分離装置を示し、（ａ）は図２（ａ）のＢ−Ｂ線断面図、（ｂ）はドラムを省略した図３（ａ）のＣ−Ｃ線断面図、（ｃ）はドラムを省略した図３（ａ）のＤ−Ｄ線断面図である。
【図４】スナップリングの一例を示す説明図である。
【符号の説明】
【００２２】
１    ドラム
２    回転円板
３    棒状体
４    駆動機構
５    振動機構
６    ホッパ
７    シュート
８    ドラムフィーダー
９    回転軸
Ｓ    スナップリング
【図１】
2005343673.tif 000003
【図２】
2005343673.tif 000004
【図３】
2005343673.tif 000005
【図４】
2005343673.tif 000006